【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
下記の式（Ａ）を有する少なくとも１つのヘテロアセンモノマー単位と、下記の式（Ｂ）を有する少なくとも１つのモノマー単位との混合物を含む、多環芳香族炭化水素コポリマー（ＰＡＨＣ）であって、
前記コポリマー中のすべてのモノマー単位（Ａ）および（Ｂ）の総計に対して、少なくとも２０〜４０％のモノマー（Ａ）と、少なくとも６０〜８０％のモノマー（Ｂ）とを含む、ＰＡＨＣ。
【化１】
2015515505.tif 000001
【化２】
2015515505.tif 000002
（式中、式（Ａ）のモノマーは、純粋なシス異性体もしくは純粋なトランス異性体、またはシス異性体とトランス異性体の混合物であってよく；
Ｙ1とＹ2は、独立してＯ、Ｓ、Ｓｅ、またはＮＲ’’’’であり、
Ｒ’’’’は、Ｈ、または環状、直鎖状、もしくは分枝状のＣ1〜Ｃ10アルキル基であり、
Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、およびＲ14の各々は、同一でも異なっていてもよく、独立して、水素；分枝もしくは非分枝の置換もしくは非置換Ｃ1−Ｃ40アルキル基；分枝もしくは非分枝の置換もしくは非置換Ｃ2−Ｃ40アルケニル基；分枝もしくは非分枝の置換もしくは非置換Ｃ2−Ｃ40アルキニル基；随意に置換されたＣ3−Ｃ40シクロアルキル基；随意に置換されたＣ6−Ｃ40アリール基；随意に置換されたＣ1−Ｃ40複素環基；随意に置換されたＣ1−Ｃ40ヘテロアリール基；随意に置換されたＣ1−Ｃ40アルコキシ基；随意に置換されたＣ6−Ｃ40アリールオキシ基；随意に置換されたＣ7−Ｃ40アルキルアリールオキシ基；随意に置換されたＣ2−Ｃ40アルコキシカルボニル基；随意に置換されたＣ7−Ｃ40アリールオキシカルボニル基；シアノ基（−ＣＮ）；カルバモイル基（−Ｃ（＝Ｏ）ＮＲ15Ｒ16）；カルボニル基（−Ｃ（＝Ｏ）−Ｒ17）；カルボキシル基（−ＣＯ2Ｒ18）；シアネート基（−ＯＣＮ）；イソシアノ基（−ＮＣ）；イソシアネート基（−ＮＣＯ）；チオシアネート基（−ＳＣＮ）もしくはチオイソシアネート基（−ＮＣＳ）；随意に置換されたアミノ基；ヒドロキシ基；ニトロ基；ＣＦ3基；ハロ基（Ｃｌ、Ｂｒ、Ｆ、Ｉ）；−ＳＲ19；−ＳＯ3Ｈ；−ＳＯ2Ｒ20；−ＳＦ5；随意に置換されたシリル基；−ＳｉＨ2Ｒ22基で置換されたＣ2−Ｃ10アルキニル基、−ＳｉＨＲ22Ｒ23基で置換されたＣ2−Ｃ10アルキニル、または−Ｓｉ（Ｒ22）x（Ｒ23）y（Ｒ24）z基で置換されたＣ2−Ｃ10アルキニル部分を表し；
各Ｒ22基は、分枝または非分枝の置換または非置換Ｃ1−Ｃ10アルキル基、分枝または非分枝の置換または非置換Ｃ2−Ｃ10アルキニル基、置換または非置換Ｃ2−Ｃ20シクロアルキル基、置換または非置換Ｃ2−Ｃ10アルケニル基、および置換または非置換Ｃ6−Ｃ20シクロアルキルアルキレン基からなる群より独立して選ばれ；
各Ｒ23基は、分枝または非分枝の置換または非置換Ｃ1−Ｃ10アルキル基、分枝または非分枝の置換または非置換Ｃ2−Ｃ10アルキニル基、置換または非置換Ｃ2−Ｃ10アルケニル基、置換または非置換Ｃ2−Ｃ20シクロアルキル基、および置換または非置換Ｃ6−Ｃ20シクロアルキルアルキレン基からなる群より独立して選ばれ；
Ｒ24は、水素、分枝または非分枝の置換または非置換Ｃ2−Ｃ10アルキニル基、置換または非置換Ｃ2−Ｃ20シクロアルキル基、置換または非置換Ｃ6−Ｃ20シクロアルキルアルキレン基、置換Ｃ5−Ｃ20アリール基、置換または非置換Ｃ6−Ｃ20アリールアルキレン基、アセチル基、ならびに環中にＯ、Ｎ、Ｓ、およびＳｅのうち少なくとも１つを含む置換または非置換Ｃ3−Ｃ20複素環からなる群より独立して選ばれ；
ｘ＝１または２であり；ｙ＝１または２であり；ｚ＝０または１であり；（ｘ＋ｙ＋ｚ）＝３であり；
Ｒ15、Ｒ16、Ｒ18、Ｒ19、およびＲ20の各々は、独立して、Ｈを表すか、または１つ以上のヘテロ原子を随意に含む随意に置換されたＣ1−Ｃ40カルビル基もしくはヒドロカルビル基を表し；
Ｒ17は、ハロゲン原子もしくはＨを表すか、または、１つ以上のヘテロ原子を随意に含む随意に置換されたＣ1−Ｃ40カルビル基もしくはＣ1−Ｃ40ヒドロカルビル基を表し；
ｋとｌは、独立して０、１、または２であり；
Ｒ1、Ｒ2、Ｒ3、Ｒ4、Ｒ8、Ｒ9、Ｒ10、およびＲ11のうち少なくとも２つは、式（Ａ）または（Ｂ）を有する別のモノマー単位との−＊で表される結合であり；
Ｒ1'、Ｒ2'、Ｒ3'、およびＲ4'の各々は、同一でも異なっていてもよく、Ｒ1、Ｒ2、Ｒ3、Ｒ4と同一の群から選ばれ；好ましくは、Ｒ1'基、Ｒ2'基、Ｒ3'基、Ｒ4'基のうちの少なくとも１つは極性基または極性化性の基であり、前記モノマー基（Ｂ）に関して、−＊は、前記式（Ａ）または（Ｂ）を有する別のモノマー単位との結合を表し；Ｒ1'、Ｒ2'、Ｒ3'、Ｒ4'は、同一でも異なっていてもよく、各々独立して、水素；分枝または非分枝の置換または非置換Ｃ1−Ｃ40アルキル基；分枝または非分枝の置換または非置換Ｃ2−Ｃ40アルケニル基；分枝または非分枝の置換または非置換Ｃ2−Ｃ40アルキニル基；随意に置換されたＣ3−Ｃ40シクロアルキル基；随意に置換されたＣ6−Ｃ40アリール基；随意に置換されたＣ1−Ｃ40複素環基；随意に置換されたＣ1−Ｃ40ヘテロアリール基；随意に置換されたＣ1−Ｃ40アルコキシ基；随意に置換されたＣ6−Ｃ40アリールオキシ基；随意に置換されたＣ7−Ｃ40アルキルアリールオキシ基；随意に置換されたＣ2−Ｃ40アルコキシカルボニル基；随意に置換されたＣ7−Ｃ40アリールオキシカルボニル基；シアノ基（−ＣＮ）；カルバモイル基（−Ｃ（＝Ｏ）ＮＲ15Ｒ16）；カルボニル基（−Ｃ（＝Ｏ）−Ｒ17）；カルボキシル基（−ＣＯ2Ｒ18）；シアネート基（−ＯＣＮ）；イソシアノ基（−ＮＣ）；イソシアネート基（−ＮＣＯ）；チオシアネート基（−ＳＣＮ）またはチオイソシアネート基（−ＮＣＳ）；随意に置換されたアミノ基；ヒドロキシ基；ニトロ基；ＣＦ3基；ハロ基（Ｃｌ、Ｂｒ、Ｆ、Ｉ）；−ＳＲ19；−ＳＯ3Ｈ；−ＳＯ2Ｒ20；−ＳＦ5；随意に置換されたシリル基を表す。）
【請求項２】
Ｒ1'、Ｒ2'、Ｒ3'、Ｒ4'のうち少なくとも１つは、以下からなる群より独立して選ばれる少なくとも１つの極性基または極性化性の基で置換されている、請求項１に記載のＰＡＨＣ。
ニトロ基；ニトリル基；ニトロ基、ニトリル基、シアネート基、イソシアネート基、チオシアネート基、またはチオイソシアネート基で置換されたＣ1-40アルキル基；ニトロ基、ニトリル基、シアネート基、イソシアネート基、チオシアネート基、またはチオイソシアネート基で随意に置換されたＣ1-40アルコキシ基；ニトロ基、ニトリル基、シアネート基、イソシアネート基、チオシアネート基、またはチオイソシアネート基で随意に置換されたＣ1-40カルボン酸基；ニトロ基、ニトリル基、シアネート基、イソシアネート基、チオシアネート基、またはチオイソシアネート基で随意に置換されたＣ2-40カルボン酸エステル；ニトロ基、ニトリル基、シアネート基、イソシアネート基、チオシアネート基、またはチオイソシアネート基で随意に置換されたスルホン酸；ニトロ基、ニトリル基、シアネート基、イソシアネート基、チオシアネート基、またはチオイソシアネート基で随意に置換されたスルホン酸エステル；シアネート基、イソシアネート基、チオシアネート基、チオイソシアネート基；およびニトロ基、ニトリル基、シアネート基、イソシアネート基、チオシアネート基、またはチオイソシアネート基で随意に置換されたアミノ基；ならびにこれらの組み合わせ
【請求項３】
Ｒ2＝Ｒ10であり、Ｒ2とＲ10は、Ｈ、Ｆ、Ｃｌ、Ｂｒ、Ｉ、ＣＮ、随意にフッ素化もしくは全フッ素置換され１〜２０個の炭素原子を有する直鎖状もしくは分枝状のアルキル、随意にフッ素化もしくは全フッ素置換され１〜２０個の炭素原子を有する直鎖状もしくは分枝状のアルコキシ、または随意にフッ素化もしくは全フッ素置換され６〜３０個の炭素原子を有するアリールを表す、請求項１または２に記載のＰＡＨＣ。
【請求項４】
前記コポリマーは、１０００Ｈｚ時の誘電率が１．５超である、請求項１〜３のいずれかに記載のＰＡＨＣ。
【請求項５】
Ｒ1、Ｒ3、Ｒ4、Ｒ5、Ｒ6、Ｒ7、Ｒ8、Ｒ9、Ｒ11、Ｒ12、Ｒ13、およびＲ14基のうちの少なくとも１つは、（トリ−Ｃ1-20ヒドロカルビルシリル）Ｃ1-4アルキニル−基である、請求項１〜４のいずれかに記載のＰＡＨＣ。
【請求項６】
前記ヘテロアセンモノマー単位は、下記の式（Ａ１）または（Ａ２）を有する、請求項１〜５のいずれかに記載のＰＡＨＣ。
【化３】
2015515505.tif 000003
【化４】
2015515505.tif 000004
（式中、Ｒ25、Ｒ26、およびＲ27は、Ｃ1−Ｃ6アルキルとＣ2−Ｃ6アルケニルからなる群より独立して選ばれる。）
【請求項７】
Ｒ25、Ｒ26、およびＲ27は、メチル、エチル、プロピル、イソプロピル、ｎ−ブチル、イソブチル、ｔ−ブチル、１−プロペニル、および２−プロペニルからなる群より独立して選ばれる、請求項６に記載のＰＡＨＣ。
【請求項８】
前記ヘテロアセンモノマー単位は下記の式（Ａ３）および（Ａ４）を有する、請求項１〜７のいずれかに記載のＰＡＨＣ。
【化５】
2015515505.tif 000005
【請求項９】
Ｒ1'、Ｒ2'、Ｒ3'、Ｒ4'のうちの少なくとも１つは極性基または極性化性の基であり、モノマー単位（Ｂ）の数であるｎがｎ＝１〜２０である、請求項１〜８のいずれかに記載のＰＡＨＣ。
【請求項１０】
前記１つ以上の極性基または極性化性の基は、ニトロ基；ニトリル基；ニトロ基、ニトリル基、シアネート基、イソシアネート基、チオシアネート基、またはチオイソシアネート基で置換されたＣ1-40アルキル基；ニトロ基、ニトリル基、シアネート基、イソシアネート基、チオシアネート基、またはチオイソシアネート基で随意に置換されたＣ1-40アルコキシ基；ニトロ基、ニトリル基、シアネート基、イソシアネート基、チオシアネート基、またはチオイソシアネート基で随意に置換されたＣ1-40カルボン酸基；ニトロ基、ニトリル基、シアネート基、イソシアネート基、チオシアネート基、またはチオイソシアネート基で随意に置換されたＣ2-40カルボン酸エステル；ニトロ基、ニトリル基、シアネート基、イソシアネート基、チオシアネート基、またはチオイソシアネート基で随意に置換されたスルホン酸；ニトロ基、ニトリル基、シアネート基、イソシアネート基、チオシアネート基、またはチオイソシアネート基で随意に置換されたスルホン酸エステル；シアネート基、イソシアネート基、チオシアネート基、チオイソシアネート基；およびニトロ基、ニトリル基、シアネート基、イソシアネート基、チオシアネート基、またはチオイソシアネート基で随意に置換されたアミノ基；ならびにこれらの組み合わせからなる群より独立して選ばれる、請求項９に記載のＰＡＨＣ。
【請求項１１】
Ｒ1'基、Ｒ2'基、Ｒ3'基、Ｒ4'基のうちの１つまたは２つは、メトキシ、シアノメチル、ＣＮ、およびこれらの混合から選ばれ、ｎ＝１〜１０である、請求項９または１０に記載のＰＡＨＣ。
【請求項１２】
下記の１つ以上のモノマー（Ｃ）、（Ｄ）、（Ｄ’）、および／または（Ｅ）をさらに含む、請求項１〜１１のいずれかに記載のＰＡＨＣ。
【化６】
2015515505.tif 000006
【化７】
2015515505.tif 000007
【化８】
2015515505.tif 000008
【化９】
2015515505.tif 000009
（式中、Ｒ1"、Ｒ2"、Ｒ3"、Ｒ4"、Ｒ5"、Ｒ6"、およびＲ7"の各々は、同一でも異なっていてもよく、請求項１で定義されているＲ1、Ｒ2、Ｒ3、Ｒ4、Ｒ5、Ｒ6、およびＲ7と同一の群から選ばれ；
ｎ”＝１〜３であり；
Ａｒ1、Ａｒ2、およびＡｒ3は、同一でも異なっていてもよく、その各々は、随意に置換されたＣ6-40芳香族基（単環または多環）を独立して表し；
前記コポリマー中の全モノマー単位の総重量に対して、モノマー（Ａ）は少なくとも２０重量％の量で存在し、モノマー（Ｂ）は少なくとも６０重量％の量で存在し、残り部分はモノマー（Ｃ）、（Ｄ）、（Ｄ’）、および／または（Ｅ）で構成される。）
【請求項１３】
請求項１〜１２のいずれかに記載のＰＡＨＣと、ポリアセン小分子と、を含む有機半導体組成物であって、該ＰＡＨＣの１０００Ｈｚ時の誘電率は３．４〜８．０である、有機半導体組成物。
【請求項１４】
請求項１〜１２のいずれかに記載のＰＡＨＣと、ポリアセン小分子と、を含む有機半導体組成物であって、該ＰＡＨＣの１０００Ｈｚ時の誘電率は３．４〜４．５である、有機半導体組成物。
【請求項１５】
請求項１〜１２のいずれかに記載の多環芳香族炭化水素コポリマー（ＰＡＨＣ）を含み、１０００Ｈｚ時の誘電率が３〜６．５である、有機半導体組成物。
【請求項１６】
１０００Ｈｚ時の誘電率が３．４〜８である有機結合剤を含む、請求項１５に記載の有機半導体組成物。
【請求項１７】
請求項１〜１６のいずれかに記載のＰＡＨＣまたは有機半導体組成物を含む、有機半導体層。
【請求項１８】
請求項１〜１７のいずれかに記載のＰＡＨＣ、有機半導体組成物、または半導体層を含む、電子デバイス。
【請求項１９】
有機薄膜トランジスタ（ＯＴＦＴ）、有機発光ダイオード（ＯＬＥＤ）、光検出器、有機光起電力（ＯＰＶ）電池、センサー、レーザー、記憶素子、および論理回路から選ばれる、請求項１８に記載の電子デバイス。
【請求項２０】
請求項１〜１６のいずれかに記載のＰＡＨＣまたは有機半導体組成物を含む、インク。
【請求項２１】
多環芳香族炭化水素コポリマー（ＰＡＨＣ）の製造方法であって、下記の構造（Ａ’）から選ばれる少なくとも１つのヘテロアセンモノマー単位と、下記の構造（Ｂ’）から選ばれる少なくとも１つのモノマー単位を含有する組成物を共重合させることを含み、
前記コポリマー中のすべてのモノマー単位（Ａ’）および（Ｂ’）の総計に対して、少なくとも２０〜４０％のモノマー（Ａ’）と、少なくとも６０〜８０％のモノマー（Ｂ’）とを含むコポリマーを製造する、製造方法。
【化１０】
2015515505.tif 000010
【化１１】
2015515505.tif 000011
（式中、式（Ａ）のモノマーは、純粋なシス異性体もしくは純粋なトランス異性体、またはシス異性体とトランス異性体の混合物であってよく；
Ｙ1とＹ2は、独立してＯ、Ｓ、Ｓｅ、またはＮＲ’’’’であり、
Ｒ’’’’は、Ｈ、または環状、直鎖状、もしくは分枝状のＣ1〜Ｃ10アルキル基であり、
ｋは、０、１、または２であり、
ｌは、０、１、または２であり、
Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、およびＲ14の各々は、同一でも異なっていてもよく、独立して、水素；分枝もしくは非分枝の置換もしくは非置換Ｃ1−Ｃ40アルキル基；分枝もしくは非分枝の置換もしくは非置換Ｃ2−Ｃ40アルケニル基；分枝もしくは非分枝の置換もしくは非置換Ｃ2−Ｃ40アルキニル基；随意に置換されたＣ3−Ｃ40シクロアルキル基；随意に置換されたＣ6−Ｃ40アリール基；随意に置換されたＣ1−Ｃ40複素環基；随意に置換されたＣ1−Ｃ40ヘテロアリール基；随意に置換されたＣ1−Ｃ40アルコキシ基；随意に置換されたＣ6−Ｃ40アリールオキシ基；随意に置換されたＣ7−Ｃ40アルキルアリールオキシ基；随意に置換されたＣ2−Ｃ40アルコキシカルボニル基；随意に置換されたＣ7−Ｃ40アリールオキシカルボニル基；シアノ基（−ＣＮ）；カルバモイル基（−Ｃ（＝Ｏ）ＮＲ15Ｒ16）；カルボニル基（−Ｃ（＝Ｏ）
−Ｒ17）；カルボキシル基（−ＣＯ2Ｒ18）；シアネート基（−ＯＣＮ）；イソシアノ基（−ＮＣ）；イソシアネート基（−ＮＣＯ）；チオシアネート基（−ＳＣＮ）もしくはチオイソシアネート基（−ＮＣＳ）；随意に置換されたアミノ基；ヒドロキシ基；ニトロ基；ＣＦ3基；ハロ基（Ｃｌ、Ｂｒ、Ｆ、Ｉ）；−ＳＲ19；−ＳＯ3Ｈ；−ＳＯ2Ｒ20；−ＳＦ5；随意に置換されたシリル基；−ＳｉＨ2Ｒ22基で置換されたＣ2−Ｃ10アルキニル基、−ＳｉＨＲ22Ｒ23基で置換されたＣ2−Ｃ10アルキニル、または−Ｓｉ（Ｒ22）x（Ｒ23）y（Ｒ24）z基で置換されたＣ2−Ｃ10アルキニル部分を表し；
各Ｒ22基は、分枝または非分枝の置換または非置換Ｃ1−Ｃ10アルキル基、分枝または非分枝の置換または非置換Ｃ2−Ｃ10アルキニル基、置換または非置換Ｃ2−Ｃ20シクロアルキル基、置換または非置換Ｃ2−Ｃ10アルケニル基、および置換または非置換Ｃ6−Ｃ20シクロアルキルアルキレン基からなる群より独立して選ばれ；
各Ｒ23基は、分枝または非分枝の置換または非置換Ｃ1−Ｃ10アルキル基、分枝または非分枝の置換または非置換Ｃ2−Ｃ10アルキニル基、置換または非置換Ｃ2−Ｃ10アルケニル基、置換または非置換Ｃ2−Ｃ20シクロアルキル基、および置換または非置換Ｃ6−Ｃ20シクロアルキルアルキレン基からなる群より独立して選ばれ；
Ｒ24は、水素、分枝または非分枝の置換または非置換Ｃ2−Ｃ10アルキニル基、置換または非置換Ｃ2−Ｃ20シクロアルキル基、置換または非置換Ｃ6−Ｃ20シクロアルキルアルキレン基、置換Ｃ5−Ｃ20アリール基、置換または非置換Ｃ6−Ｃ20アリールアルキレン基、アセチル基、ならびに環中にＯ、Ｎ、Ｓ、およびＳｅのうち少なくとも１つを含む置換または非置換Ｃ3−Ｃ20複素環からなる群より独立して選ばれ；
ｘ＝１または２であり；ｙ＝１または２であり；ｚ＝０または１であり；（ｘ＋ｙ＋ｚ）＝３であり；
Ｒ15、Ｒ16、Ｒ18、Ｒ19、およびＲ20の各々は、独立して、Ｈを表すか、ま
たは１つ以上のヘテロ原子を随意に含む随意に置換されたＣ1−Ｃ40カルビル基もしくはヒドロカルビル基を表し；
Ｒ17は、ハロゲン原子もしくはＨを表すか、または、１つ以上のヘテロ原子を随意に含む随意に置換されたＣ1−Ｃ40カルビル基もしくはＣ1−Ｃ40ヒドロカルビル基を表し；
Ｒ1'、Ｒ2'、Ｒ3'、Ｒ4'は、同一でも異なっていてもよく、各々独立して、水素；分枝または非分枝の置換または非置換Ｃ1−Ｃ40アルキル基；分枝または非分枝の置換または非置換Ｃ2−Ｃ40アルケニル基；分枝または非分枝の置換または非置換Ｃ2−Ｃ40アルキニル基；随意に置換されたＣ3−Ｃ40シクロアルキル基；随意に置換されたＣ6−Ｃ40アリール基；随意に置換されたＣ1−Ｃ40複素環基；随意に置換されたＣ1−Ｃ40ヘテロアリール基；随意に置換されたＣ1−Ｃ40アルコキシ基；随意に置換されたＣ6−Ｃ40アリールオキシ基；随意に置換されたＣ7−Ｃ40アルキルアリールオキシ基；随意に置換されたＣ2−Ｃ40アルコキシカルボニル基；随意に置換されたＣ7−Ｃ40アリールオキシカルボニル基；シアノ基（−ＣＮ）；カルバモイル基（−Ｃ（＝Ｏ）ＮＲ15Ｒ16）；カルボニル基（−Ｃ（＝Ｏ）−Ｒ17）；カルボキシル基（−ＣＯ2Ｒ18）；シアネート基（−ＯＣＮ）；イソシアノ基（−ＮＣ）；イソシアネート基（−ＮＣＯ）；チオシアネート基（−ＳＣＮ）またはチオイソシアネート基（−ＮＣＳ）；随意に置換されたアミノ基；ヒドロキシ基；ニトロ基；ＣＦ3基；ハロ基（Ｃｌ、Ｂｒ、Ｆ、Ｉ）；−ＳＲ19；−ＳＯ3Ｈ；−ＳＯ2Ｒ20；−ＳＦ5；随意に置換されたシリル基を表し；
Ｒ1'基、Ｒ2'基、Ｒ3'基、Ｒ4'基のうちの少なくとも１つは極性基または極性化性の基であり、ｎ＝１〜２０であり；
Ｘ’は、ハロゲン原子または環状ホウ酸エステル基（cyclic borate group）であり；
Ｙ’は、ハロゲン原子である。）
【請求項２２】
Ｒ1'、Ｒ2'、Ｒ3'、Ｒ4'のうち少なくとも１つは、以下からなる群より独立して選ばれる少なくとも１つの極性基または極性化性の基で置換されている、請求項２１に記載の多環芳香族炭化水素コポリマー（ＰＡＨＣ）の製造方法。
ニトロ基；ニトリル基；ニトロ基、ニトリル基、シアネート基、イソシアネート基、チ
オシアネート基、またはチオイソシアネート基で置換されたＣ1-40アルキル基；ニトロ基、ニトリル基、シアネート基、イソシアネート基、チオシアネート基、またはチオイソシアネート基で随意に置換されたＣ1-40アルコキシ基；ニトロ基、ニトリル基、シアネート基、イソシアネート基、チオシアネート基、またはチオイソシアネート基で随意に置換されたＣ1-40カルボン酸基；ニトロ基、ニトリル基、シアネート基、イソシアネート基、チオシアネート基、またはチオイソシアネート基で随意に置換されたＣ2-40カルボン酸エステル；ニトロ基、ニトリル基、シアネート基、イソシアネート基、チオシアネート基、またはチオイソシアネート基で随意に置換されたスルホン酸；ニトロ基、ニトリル基、シアネート基、イソシアネート基、チオシアネート基、またはチオイソシアネート基で随意に置換されたスルホン酸エステル；シアネート基、イソシアネート基、チオシアネート基、チオイソシアネート基；およびニトロ基、ニトリル基、シアネート基、イソシアネート基、チオシアネート基、またはチオイソシアネート基で随意に置換されたアミノ基；ならびにこれらの組み合わせ